(57)【要約】【課題】睡眠中の子供を連れた利用者の利便性を向上させることが可能なエレベータシステムを提供することである。【解決手段】エレベータシステム１０は、睡眠中の子供の存在を登録するための登録釦３１と、登録釦３１が操作されたことを条件としてスリーピングモードを起動し実行する各手段を有する制御装置５０と、を備える。制御装置５０は、案内音の音量を低減する音量変更手段５１と、かご内照明装置２３の照度を低減する照度変更手段５２と、乗りかご１２内および乗場１３の一般利用者１００に対して、睡眠中の子供の存在を知らせる報知手段５３と、ドアの閉扉速度を遅くするドア開閉速度変更手段５４と、を有する。【選択図】図１
2012121690.tif 000002
【特許請求の範囲】
【請求項１】
少なくとも乗場又は乗りかご内に設置され、睡眠中の子供の存在を登録するための登録釦と、
登録釦が操作されたことを条件として、案内音の音量を低減する音量変更手段を有する制御装置と、
を備えることを特徴とするエレベータシステム。
【請求項２】
請求項１に記載のエレベータシステムにおいて、
制御装置は、登録釦が操作されたことを条件として、乗りかご内に設置された照明装置の照度を低減する照度変更手段を有することを特徴とするエレベータシステム。
【請求項３】
請求項１又は２に記載のエレベータシステムにおいて、
制御装置は、登録釦が操作されたことを条件として、少なくとも乗場の利用者又は乗りかご内の利用者に対して、睡眠中の子供の存在を知らせる報知手段を有することを特徴とするエレベータシステム。
【請求項４】
請求項１〜３のいずれか１に記載のエレベータシステムにおいて、
制御装置は、登録釦が操作されたことを条件として、ドアの閉扉速度を遅くするドア開閉速度変更手段を有することを特徴とするエレベータシステム。
【請求項５】
乗場又は乗りかご内に設置され、睡眠中の子供の存在を検出する検出装置と、
検出装置により睡眠中の子供が検出されたことを条件として、案内音の音量を低減する音量変更手段を有する制御装置と、
を備えることを特徴とするエレベータシステム。
【発明の詳細な説明】
【技術分野】
【０００１】
本発明は、エレベータシステムに関し、より詳しくは、子供（幼児）を連れた利用者の利便性を改良するエレベータシステムに関する。
【背景技術】
【０００２】
近年、デパート等では、ベビーカーや車椅子優先のエレベータが設定されている。このようなエレベータには、特定利用者の優先エレベータであることが乗場（例えば、乗場ドア）に表示されている。また、車椅子の利用者が操作可能な低い位置に操作釦が設置される等、特有の設備が備えられている。
【０００３】
例えば、特許文献１には、一般乗客が通過したか車椅子が通過したかを判別する車椅子判別手段を備えたエレベータが開示されている。そして、特許文献１には、車椅子用乗場釦が操作されたとき、戸開待機時間を延長すると共に戸閉速度を遅く設定すること、車椅子が乗りかご内に乗り込んでいることを検出しているとき、乗場インフォメーションの音声又は表示により乗場で乗りかごを待つ一般乗客に車椅子が乗りかご内に乗車していることを知らせること等が開示されている。
【先行技術文献】
【特許文献】
【０００４】
【特許文献１】特開平１０‐８７２４２号公報
【発明の概要】
【発明が解決しようとする課題】
【０００５】
しかしながら、特許文献１のエレベータを含む従来のエレベータには、ベビーカーの利用者、子供（幼児）を連れた利用者の利便性を向上させる設備は搭載されていない。
【０００６】
従来のエレベータの問題点としては、乗りかごが乗場に到着した際に出力される到着チャイムや音声ガイド等の案内音が例示できる。案内音は、利用者に対して乗りかごが乗場に到着したこと等を知らせて利便性を向上させるものであるが、当該案内音により睡眠中の子供が起きることがよくあり、子供を連れた利用者にとっては不便な場合がある。
【０００７】
即ち、本発明の目的は、睡眠中の子供を連れた利用者の利便性を向上させることが可能なエレベータシステムを提供することである。
【課題を解決するための手段】
【０００８】
本発明に係るエレベータシステムは、少なくとも乗場又は乗りかご内に設置され、睡眠中の子供の存在を登録するための登録釦と、登録釦が操作されたことを条件として、案内音の音量を低減する音量変更手段を有する制御装置と、を備えることを特徴とする。
当該構成によれば、登録釦が操作されたことを条件として、つまり乗場又は乗りかご内に睡眠中の子供がいる場合に、案内音の音量が低減される。したがって、睡眠中の子供が案内音によって起きることを防止できる。また、案内音を低減するスリーピングモードは、登録釦が操作された場合に限定して実行されるため、登録釦が操作されないときには通常の大きな案内音が出力されるので、一般利用者（睡眠中の子供を連れた利用者以外）の利便性も十分に維持することができる。即ち、当該構成によれば、一般利用者の利便性を維持しながら、睡眠中の子供を連れた利用者の利便性を向上させることが可能である。
【０００９】
また、制御装置は、登録釦が操作されたことを条件として、乗りかご内に設置された照明装置の照度を低減する照度変更手段を有することが好ましい。即ち、スリーピングモードにかご内照明装置の照度低減手順を追加することが好ましい。
当該構成によれば、登録釦が操作されたことを条件として、かご内照明装置の照度が低減される。したがって、睡眠中の子供がかご内照明装置の明るさによって起きることを防止できる。
【００１０】
また、制御装置は、登録釦が操作されたことを条件として、少なくとも乗場の利用者又は乗りかご内の利用者に対して、睡眠中の子供の存在を知らせる報知手段を有することが好ましい。即ち、スリーピングモードに睡眠中の子供の存在を知らせる手順を追加することが好ましい。
当該構成によれば、乗場又は乗りかご内に睡眠中の子供がいる場合に、睡眠中の子供の存在を乗場又は乗りかご内の利用者に知らせることができる。したがって、利用者に静かな行動を促し、睡眠中の子供が利用者から発せられる会話等の音によって起きることを防止できる。
【００１１】
また、制御装置は、登録釦が操作されたことを条件として、ドアの閉扉速度を遅くするドア開閉速度変更手段を有することが好ましい。即ち、スリーピングモードにドアの閉扉速度を遅くする手順を追加することが好ましい。
当該構成によれば、乗場又は乗りかご内に睡眠中の子供がいる場合に、ドアの閉扉速度を遅くできる。したがって、睡眠中の子供を連れた利用者、特にベビーカーを持った利用者の乗降が容易になる。
【００１２】
また、本発明に係るエレベータシステムは、乗場又は乗りかご内に設置され、睡眠中の子供の存在を検出する検出装置と、検出装置により睡眠中の子供が検出されたことを条件として、案内音の音量を低減する音量変更手段を有する制御装置と、を備える構成とすることもできる。
【００１３】
なお、音量変更手段は、案内音の指向性を制御して、乗りかごの床部近傍、つまりベビーカーに乗った睡眠中の子供の高さにおける案内音の音量を下げてもよい。例えば、かご内スピーカから音楽が流れている場合には、子守唄に切り替えてもよいし、子守唄の種類によっては、音量レベルを維持できる場合も想定される。また、照度変更手段は、かご内照明装置の照射方向を変更して乗りかごの床部近傍における光量を低減してもよい。
また、一般利用者の利便性をできるだけ確保する観点から、例えば、登録釦の操作場所に応じて、案内音の音量低減やかご内照明装置の照度低減を実行するタイミングを変更してもよい。音量変更手段等は、例えば、アドレス付きの登録釦の操作信号を取得することで登録釦が操作された乗場を特定でき、乗りかごの位置を取得することで、登録釦が操作された乗場と乗りかごとの位置関係を把握できる。そして、乗りかごが、登録釦が操作された乗場に到着した時点から、案内音の音量低減等を実行できる。
【発明の効果】
【００１４】
本発明に係るエレベータシステムによれば、睡眠中の子供を連れた利用者の利便性を向上させることが可能である。また、スリーピングモードは、登録釦が操作された場合又は検出装置により睡眠中の子供が検出された場合に限定して実行されるため、一般利用者の利便性も十分に維持することができる。
【図面の簡単な説明】
【００１５】
【図１】本発明の実施形態であるエレベータシステムの全体構成を模式的に示す図である。
【図２】図１のシステムにおいて、乗りかご内を示す図である。
【図３】図１のシステムにおいて、乗場を示す図である。
【図４】図１のシステムにおいて、スリーピングモードの制御手順を示すフローチャートである。
【発明を実施するための形態】
【００１６】
図面を用いて、本発明に係るエレベータシステムの実施形態につき、以下詳細に説明する。なお、以下では、上部機械室１４を有するロープ式のエレベータシステム１０を例示して説明するが、本発明の適用はこれに限定されず、機械室レスエレベータや油圧式エレベータにも適用することができる。また、本発明は、複数のエレベータが併設されたシステムにも適用することができる。
【００１７】
図１に例示するエレベータシステム１０は、高層建造物（例えば、高層マンション等）に設置されたシステムである。図１では、エレベータシステム１０の構成等を説明するために、乗りかご１２が下階側に進み、乗りかご１２内、乗場１３Ａ、および乗場１３Ｃに一般利用者１００がおり、乗場１３Ｂに睡眠中の子供１０２を連れた利用者１０１（以下、対象利用者１０１とする）がいる様子を例示している。
なお、本明細書において、「一般利用者１００」とは、対象利用者１０１以外の利用者を意味する。「睡眠中の子供１０２」とは、対象利用者１０１がベビーカー等に乗せて移動可能な子供、具体的には、就学前の幼児・乳幼児（赤ちゃん）を想定する。
【００１８】
図１に示すように、エレベータシステム１０は、昇降路１１内において、乗りかご１２が各階床に設置された乗場１３の間を昇降する昇降装置（エレベータ）と、その動作を制御する制御装置５０とで構成されるシステムである。なお、昇降装置には、利用者が乗りかご１２の昇降を操作するための操作盤（例えば、乗場操作盤２７）等が含まれる。
【００１９】
昇降路１１は、建造物内等に鉛直方向に貫通して設けられた乗りかご１２の昇降通路である。昇降路１１の最下部には、図示しないピットが設けられ、昇降路１１の上部には、上部機械室１４が設けられる。上部機械室１４には、乗りかご１２を昇降させる巻上げ機１５や制御装置５０が設置されている。巻上げ機１５のシーブには、一端が乗りかご１２の上部、他端がカウンターウエイト（図示せず）に連結された主ロープ１６が巻きかけられている。ゆえに、巻上げ機１５を駆動させることで主ロープ１６が巻上げられ又は送り出されて、乗りかご１２が昇降路１１内を昇降することになる。
【００２０】
乗りかご１２は、利用者が乗り込むことのできる室内スペースを有し、巻上げ機１５の駆動により昇降路１１内を昇降する。乗りかご１２内の壁面には、制御装置５０と接続されたかご内操作盤１７が設置されている。かご内操作盤１７は、行き先階釦１８、ドア開閉釦１９、乗りかご１２の方向等を表示するかご内インジケータ２０、およびかご内表示部２１等を有している。
【００２１】
また、乗りかご１２には、音声ガイド等を出力するためのかご内スピーカ２２、かご内照明装置２３、かごドア２４（図２参照）、かごドア２４を開閉するかごドア開閉装置２５等が設置されている。
【００２２】
乗場１３は、各階床に設けられた乗りかご１２の乗降口である。乗場１３の壁面は、かごドア２４に追従して開閉する乗場ドア２６（図３参照）および制御装置５０と接続された乗場操作盤２７が設置されている。乗場操作盤２７は、呼び登録釦２８、乗りかご１２の位置等を表示する乗場インジケータ２９、乗場表示部３０、および登録釦３１等を有している。なお、本明細書において、「ドア」と言うときには、かごドア２４および乗場ドア２６を意味する。
【００２３】
ここで、図２および図３を参照し、乗りかご１２内および乗場１３の設備（構成要素）、特に、かご内表示部２１、かご内スピーカ２２、乗場表示部３０、および登録釦３１について詳述する。
【００２４】
図２に示すように、乗りかご１２内の壁面には、かごドア２４の近傍にかご内操作盤１７が設置されている。そして、かご内操作盤１７は、例えば、その上部にかご内表示部２１を有している。
かご内表示部２１は、登録釦３１が操作されたことを条件として後述する報知手段５３の機能によって作動し、乗りかご１２に睡眠中の子供が乗ってくること又は睡眠中の子供が乗っていることを、乗りかご１２内の利用者に知らせるための表示装置である。表示装置の機種や設置場所は、特に限定されず、例えば、「赤ちゃんが寝ています。お静かにお願いします。」等のメッセージ（案内・情報）を表示する液晶表示装置や電光掲示板、又は「赤ちゃん」と印字されたランプが点灯する表示装置であってもよい。
【００２５】
かご内スピーカ２２は、音声ガイドを出力するための装置であって、例えば、かご内操作盤１７の上方に位置する壁面に設置されている。かご内スピーカ２２から出力される音声ガイドとしては、乗りかご１２の運転方向や停止階、ドアの開閉等の情報が例示できる。また、かご内スピーカ２２から館内放送やＢＧＭを流すこともできる。さらに、乗りかご１２又は乗場１３には、乗りかご１２が乗場１３に到着したことを知らせる図示しない到着チャイムを設置することができる。
なお、本明細書では、かご内スピーカ２２から出力される音声ガイド（ＢＧＭ等を含む）や到着チャイムから出力されるチャイム音を、「案内音」と称して説明する。
【００２６】
また、かご内照明装置２３は、通常、乗りかご１２内の天井部に設置される。かご内照明装置２３は、デザイン等に応じて種々の機種や個数、配置を選定することができ、例えば、乗りかご１２内を均等に照らす照明設備や乗りかご１２内の一部を明るく照らすスポットライトなどを用いることができる。
【００２７】
図３（ａ）に示すように、乗場１３の壁面には、乗場ドア２６の近傍に乗場操作盤２７が設置されている。そして、乗場操作盤２７は、例えば、呼び登録釦２８と乗場インジケータ２９との間に、乗場表示部３０および登録釦３１を有している。
乗場表示部３０は、かご内表示部２１と同様に、登録釦３１が操作されたことを条件として報知手段５３の機能によって作動し、睡眠中の子供が乗りかご１２に乗っていることを、乗場１３で待つ利用者に知らせるための表示装置である。なお、表示装置としては、例えば、かご内表示部２１と同様のものを用いることができ、機種や設置場所等は特に限定されない。
【００２８】
登録釦３１は、睡眠中の子供の存在を登録するための釦である。即ち、対象利用者１０１は、登録釦３１を操作することで、スリーピングモードを起動させることができる。ここで、スリーピングモードとは、登録釦３１が操作されたことを条件として実行される制御モードであって、睡眠中の子供を起こさないようにするための制御モードである。なお、登録釦３１の形状や設置場所等は特に限定されないが、操作し易いように、乗場操作盤２７に組み込まれていることが好ましい。
【００２９】
図３（ｂ）に示すように、乗場操作盤２７と、乗場インジケータ２９とが別々に配置された形態であってもよい。例えば、乗場操作盤２７は、乗場ドア２６の側方に位置する壁面に配置され、乗場インジケータ２９は乗場ドア２６の上方に位置する壁面に配置される。そして、乗場操作盤２７に登録釦３１を配置し、乗場インジケータ２９に乗場表示部３０を配置することができる。
乗場表示部３０に表示されるメッセージとしては、例えば、「眠っている赤ちゃんが乗っています。」など、乗場１３で待つ一般利用者１００に対して、睡眠中の子供が乗りかご１２に乗っていることを認識させることができるものであれば特に限定されない。
【００３０】
制御装置５０は、昇降装置を構成する各要素の動作を統一的に制御する装置である。例えば、制御装置５０は、かご内操作盤１７の操作に基づき、巻上げ機１５に指令を与えて乗りかご１２の昇降運転を制御する等の機能を有する。
さらに、制御装置５０は、スリーピングモードを実行するための手段として、音量変更手段５１と、照度変更手段５２と、報知手段５３と、ドア開閉速度変更手段５４と、を有する。
【００３１】
なお、制御装置５０は、ＣＰＵと、上記各手段の機能を実行する際に使用される制御パラメータ等の入力に用いられる入力部と、入力した制御パラメータ、制御プログラムなどを記憶する記録部と、入出力ポートなどを備える装置であって、コンピュータによって構成することができる。各機能は、ソフトウェアを実行することで実現でき、具体的には、対応するエレベータ制御プログラムを実行することにより実現できる。
【００３２】
音量変更手段５１は、登録釦３１が操作されたことを条件として、案内音の音量を低減する機能を有する。つまり、音量変更手段５１は、登録釦３１が操作されたときに、登録釦３１の操作信号を取得し、かご内スピーカ２２や到着チャイムに対して音量低減の制御指令を出力する。なお、案内音の音量は、子供の眠りを妨げないレベルまで低減することが好ましいが、案内音の出力を一時的に中止してもよい。音量低減のレベル等（かご内照明装置２３の照度低減レベル、ドアの閉扉速度の低減レベルについても同様）は、予め定められており、例えば、制御装置５０の記憶部に記憶されている。
【００３３】
また、音量変更手段５１は、登録釦３１の操作と同時（略同時）に、案内音の音量を下げることもできるが、一般利用者１００の利便性をできるだけ確保する観点から、登録釦３１の操作場所等に応じて音量低減の実行時期を変更することが好ましい。登録釦３１の操作信号は、操作された登録釦３１を特定する情報（アドレス）、つまり登録釦３１が操作された乗場１３の位置情報を含むことができ、音量変更手段５１は、登録釦３１が操作された乗場１３（以下、登録釦３１が操作された乗場１３を乗場１３Ｂとし、乗場１３Ｂに関連する設備の符号にＢを付して説明する）を特定することができる。
【００３４】
音量変更手段５１は、例えば、乗りかご１２の位置情報を取得し、乗りかご１２が乗場１３Ｂに到着するまでの間は、案内音の音量を通常運転状態に維持する。そして、乗りかご１２が乗場１３Ｂに到着したことを判定して、案内音の音量を予め定めたレベルまで下げ、スリーピングモードが解除されるまで当該低音量レベルを維持する。ここで、乗場１３Ｂにおける到着チャイム音や到着予報のチャイム音は、登録釦３１の操作情報を取得した時点で、その音量を低減又は消音しておくことができる。
また、案内音の指向性を制御して、乗りかご１２の床部近傍、つまりベビーカーに乗った睡眠中の子供１０２の高さにおける音量を下げてもよい。
【００３５】
照度変更手段５２は、登録釦３１が操作されたことを条件として、乗りかご１２内に設置されたかご内照明装置２３の照度を低減する機能を有する。つまり、照度変更手段５２は、登録釦３１が操作されたときに、登録釦３１の操作信号を取得し、かご内照明装置２３に対して照度低減の制御指令を出力する。なお、かご内照明装置２３の照度は、子供の眠りを妨げないレベルまで低減されるが、かご内照明装置２３が複数設置されている場合には、一部のかご内照明装置２３を消灯してもよい。
また、スポットライトのような照明装置においては、その照射方向を変更する等して乗りかご１２の床部近傍における光量を低減してもよい。
【００３６】
また、照度変更手段５２は、登録釦３１の操作と同時（略同時）に、かご内照明装置２３を暗くすることもできるが、一般利用者１００の利便性をできるだけ確保する観点から、登録釦３１の操作場所等に応じて照度低減の実行時期を変更することが好ましい。例えば、照度変更手段５２は、乗場１３Ｂを特定し、乗りかご１２の位置情報を取得して、乗りかご１２が乗場１３Ｂに到着するまでの間は、かご内照明装置２３の照度を通常運転状態に維持することができる。そして、乗りかご１２が乗場１３Ｂに到着したことを判定して、かご内照明装置２３の照度を予め定めたレベルまで下げ、スリーピングモードが解除されるまで当該低照度レベルを維持する。例えば、乗場１３Ｂでドアの開扉が開始した時点や完了した時点で、かご内照明装置２３を暗くすることができる。
【００３７】
報知手段５３は、登録釦３１が操作されたことを条件として、乗りかご１２内および乗場１３の一般利用者１００に対して、睡眠中の子供の存在を知らせる機能を有する。つまり、報知手段５３は、登録釦３１の操作信号を取得し、乗りかご１２に設置されたかご内表示部２１および乗場１３に設置された乗場表示部３０に対して、予め定めたメッセージを表示させるための制御指令を出力する。
【００３８】
また、報知手段５３は、登録釦３１の操作と同時（略同時）に、全ての乗場１３の乗場表示部３０を作動させることもできるが、登録釦３１の操作場所等に応じて作動させる乗場表示部３０を変更することが好ましい。例えば、報知手段５３は、乗場１３Ｂを特定して、乗場１３Ｂより下階側の乗場１３（乗場１３Ｃ等）の乗場表示部３０に対して選択的に制御指令を出力し、乗場１３Ｂより上階側の乗場１３（乗場１３Ａ等）の乗場表示部３０を作動させない。また、呼び登録釦２８が操作された乗場１３の乗場表示部３０のみを作動させることもできる。
【００３９】
ドア開閉速度変更手段５４は、登録釦３１が操作されたことを条件として、ドアの閉扉速度を遅くする機能を有する。つまり、ドア開閉速度変更手段５４は、登録釦３１の操作信号を取得し、かごドア開閉装置２５に対してドアの閉扉速度を遅くするための制御指令を出力する。併せて、ドア開閉速度変更手段５４は、ドアの開放時間を延長することが好ましい。
【００４０】
また、ドア開閉速度変更手段５４は、登録釦３１の操作と同時（略同時）に、ドアの閉扉速度を遅くすることもできるが、一般利用者の利便性をできるだけ確保する観点から、登録釦３１の操作場所等に応じて、実行時期や実行する乗場１３を変更することが好ましい。例えば、ドア開閉速度変更手段５４は、乗場１３Ｂを特定し、乗りかご１２の位置情報を取得して、乗りかご１２が乗場１３Ｂに到着するまでの間は、ドアの閉扉速度を通常運転状態に維持することができる。そして、乗りかご１２が乗場１３Ｂに到着したことを判定して、乗場１３Ｂにおけるドアの閉扉速度を予め定めたレベルまで下げる。
【００４１】
ドア開閉速度変更手段５４は、乗場１３Ｂより下階側の全ての乗場１３（乗場１３Ｃ等）におけるドアの閉扉速度を遅くすることもできるが、行き先階釦１８が操作されている乗場１３のみ、或いは対象利用者１０１が降りる乗場１３（以下、乗場１３Ｘとする）のみにおいて、ドアの閉扉速度を遅くすることが好ましい。
乗場１３Ｘを特定する方法としては、乗場１３Ｂに到着後、乗場１３Ｃに到着するまでの間に操作された行き先階釦１８に対応する乗場１３を、乗場１３Ｘとして登録する方法がある。また、対象利用者１０１に乗場１３Ｘを登録させる方法（登録操作方法は案内表示等で知らせる）、例えば、登録釦３１に隣接して行き先階を登録するためのテンキー等を設置する、又は行き先階釦１８を特殊操作（長押し等）させる等の方法が挙げられる。
【００４２】
なお、対象利用者１０１が乗りかご１２から降りたときや乗りかご１２の運転方向が反転したときに、スリーピングモードを解除して通常運転モードを復旧することができる。対象利用者１０１が乗りかご１２から降りたことは、上記乗場１３Ｘの特定方法や乗りかご１２内に設置された監視カメラを用いる方法によって把握できる。例えば、音量変更手段５１、照度変更手段５２等が、乗場１３Ｘの登録情報を取得し、乗りかご１２の位置情報を取得する。そして、乗りかご１２が乗場１３Ｘを過ぎたことを判定して、スリーピングモードを解除し通常運転モードを復旧する。つまり、乗場１３Ｘにおいてドアの閉扉が完了した時点で通常運転モードを復旧する。
【００４３】
ここで、図４の制御手順フローチャートを参照して、上記構成を備えるエレベータシステム１０による制御方法を説明する。なお、制御方法の説明は、図１に示す状態（乗りかご１２が下階側に進み、乗場１３Ｂに対象利用者１０１がいる状態）を例示して行う。
【００４４】
まず初めに、登録釦３１の操作信号を取得する（Ｓ１０）。対象利用者１０１は、登録釦３１Ｂを操作することによりスリーピングモードを起動することができる。操作信号の取得は、例えば、制御装置５０の各手段の機能によってそれぞれ実行される。
また、登録釦３１の操作信号には、操作された登録釦３１を特定する情報（アドレス）が含まれ、制御装置５０の各手段は、登録釦３１が操作された乗場１３Ｂを特定することができる。さらに、制御装置５０の各手段は、乗りかご１２の位置情報も取得する。
【００４５】
次に、乗場１３Ｂより下階側の乗場１３の乗場表示部３０およびかご内表示部２１を作動させて、「睡眠中の子供が乗っていること」や「睡眠中の子供が乗ってくること」を一般利用者１００に知らせる（Ｓ１１）。例えば、乗場１３Ｃの乗場表示部３０Ｃには、「眠っている赤ちゃんが乗っています。」等のメッセージを出力することができる。なお、この手順は、報知手段５３の機能によって実行される。報知手段５３は、乗場１３Ｂを特定し、乗りかご１２の位置を取得して、制御指令を出力する乗場表示部３０を決定する。
【００４６】
次に、乗りかご１２が乗場１３Ｂに到着したか否かを判定（到着判定）する（Ｓ１２）。なお、この手順は、例えば、音量変更手段５１、照度変更手段５２、およびドア開閉速度変更手段５４の機能によって実行される。音量変更手段５１等は、乗場１３Ｂを特定し、乗りかご１２の位置を取得して、到着判定を行う。
【００４７】
そして、Ｓ１２で乗りかご１２が乗場１３Ｂに到着したと判定されたときには、かご内スピーカ２２および到着チャイム等の案内音の音量を低減させる（Ｓ１３）。なお、乗場１３Ｂにおける到着チャイム音や到着予報のチャイム音は、登録釦３１の操作情報を取得した時点で、その音量を低減又は消音しておくことができる。
さらに、かご内照明装置２３の照度を低減させる（Ｓ１４）。かご内照明装置２３を暗くするタイミングとしては、例えば、乗場１３Ｂでドアの開扉が完了した時点とすることができる。Ｓ１３およびＳ１４の手順は、それぞれ音量変更手段５１および照度変更手段５２の機能によって実行される。
【００４８】
また、乗場１３Ｂにおけるドアの閉扉速度を遅くする（Ｓ１５）。この手順は、ドア開閉速度変更手段５４の機能によって実行される。なお、ドアの閉扉速度の低減は、乗場１３Ｂ以下の特定乗場１３で実行され、例えば、行き先階釦１８が操作されている乗場１３、又は上記方法によって特定された乗場１３Ｘにおいて実行される。また、ドアの閉扉速度を遅くすることに加えて、ドアの開放時間を延長することが好ましい。
【００４９】
最後に、スリーピングモードの解除条件を満たすか否かを判定する（Ｓ１６）。スリーピングモードの解除条件を満たすと判定されたときには、スリーピングモードを解除して通常運転モードを復旧する（Ｓ１７）。Ｓ１６およびＳ１７の手順は、例えば、制御装置５０の各手段の機能によってそれぞれ実行される。
なお、スリーピングモードの解除条件としては、上記のように、対象利用者１０１が乗りかご１２から降りたことや乗りかご１２の運転方向が反転したことが挙げられる。
【００５０】
以上のように、エレベータシステム１０は、睡眠中の子供の存在を登録するための登録釦３１と、登録釦３１が操作されたことを条件としてスリーピングモードを起動し実行する各手段を有する制御装置５０と、を備える。制御装置５０は、案内音の音量を低減する音量変更手段５１と、かご内照明装置２３の照度を低減する照度変更手段５２と、乗りかご１２内および乗場１３の一般利用者１００に対して、睡眠中の子供の存在を知らせる報知手段５３と、ドアの閉扉速度を遅くするドア開閉速度変更手段５４と、を有する。
上記構成を備えるエレベータシステム１０によれば、案内音を小さくし、かご内照明装置２３を暗くして、一般利用者１００に静かな行動を促すことができるので、睡眠中の子供１０２が起きないようにすることができる。また、エレベータシステム１０では、上記のように、スリーピングモードの起動条件、実行範囲を限定しているので、一般利用者１００の利便性を十分に維持しながら、対象利用者１０１の利便性を向上させることが可能である。
【００５１】
なお、上記実施形態は、本発明の目的を損なわない範囲で設計変更することができる。
例えば、上記では、登録釦３１の操作により上記スリーピングモードが起動されるものとして説明したが、乗りかご１２内又は乗場１３に、睡眠中の子供の存在を検出する検出装置を備え、検出装置により睡眠中の子供が検出されたときに、上記スリーピングモードを起動させてもよい。即ち、検出装置により睡眠中の子供が検出されたことを条件として、音量変更手段５１の機能によりかご内スピーカ２２等から出力される案内音の音量を低減すること、照度変更手段５２の機能によってかご内照明装置２３の照度を低減すること、報知手段５３の機能によって睡眠中の子供の存在を知らせること、およびドア開閉速度変更手段５４の機能によってドアの閉扉速度の遅くすることを実行することができる。
検出装置としては、例えば、画像センサが例示できる。画像センサを用いて、子供の表情（目を瞑っているか？）や動きを検出して睡眠中か否かを判定することができる。
【００５２】
また、上記では、報知手段５３により作動される装置として、かご内表示部２１および乗場表示部３０を例示したが、当該装置は、音声により睡眠中の子供の存在を知らせるスピーカ等であってもよい。
また、上記では、ドア開閉速度変更手段５４は、スリーピングモードにおいてドアの閉扉速度を遅くするとして説明したが、ドアの開閉速度を遅くしてもよい。
また、登録釦３１および検出装置は、少なくとも乗場１３に設置されていることが好ましいが、乗りかご１２内のみに設置されていてもよい。また、乗場１３および乗りかご１２内の両方に設置されていてもよい。
【符号の説明】
【００５３】
１０  エレベータシステム、１１  昇降路、１２  乗りかご、１３  乗場、１４  上部機械室、１５  巻上げ機、１６  主ロープ、１７  かご内操作盤、１８  行き先階釦、１９  ドア開閉釦、２０  かご内インジケータ、２１  かご内表示部、２２  かご内スピーカ、２３  かご内照明装置、２４  かごドア、２５  かごドア開閉装置、２６  乗場ドア、２７  乗場操作盤、２８  呼び登録釦、２９  乗場インジケータ、３０  乗場表示部、３１  登録釦、５０  制御装置、５１  音量変更手段、５２  照度変更手段、５３  報知手段、５４  ドア開閉速度変更手段、１００  一般利用者、１０１  睡眠中の子供を連れた利用者（対象利用者）、１０２  睡眠中の子供。
【図１】
2012121690.tif 000003
【図２】
2012121690.tif 000004
【図３】
2012121690.tif 000005
【図４】
2012121690.tif 000006